(57)【要約】【課題】繰出し容器に収納されている口紅等の棒状塗り物品を筆等の補助具を使うことなくほぼ最後まで使い切ることができるようにした口紅等の棒状塗り物品の繰出し容器を提供すること。【解決手段】中央にネジ穴部１１を備えた受部２と、この受部２に設ける棒状塗り物品３と、受部２のネジ穴部１１に底面側からネジ込むネジ棒１２を把持部１３の中央に備えた回転支持部４と、棒状塗り物品３及び受部２を収納して保持する内側円筒５と、内側円筒５を収納して保持する外側円筒６と、外側円筒６に対して内側円筒５を長手方向に移動可能とする移動手段（１４，１５）とを少なくとも備えた。【選択図】  図４
0003136607.tif 000002
【実用新案登録請求の範囲】
【請求項１】
中央にネジ穴部を備えた受部と、この受部に設ける棒状塗り物品と、受部のネジ穴部に底面側からネジ込むネジ棒を把持部の中央に備えた回転支持部と、棒状塗り物品及び受部を収納して保持する内側円筒と、内側円筒を収納して保持する外側円筒と、外側円筒に対して内側円筒を長手方向に移動可能とする移動手段とを少なくとも備えたことを特徴とする口紅等の棒状塗り物品の繰出し容器。
【請求項２】
移動手段は、内側円筒の外周面に形成した雄ネジと、外側円筒の内周面に形成した雌ネジとのネジ合わせから成る構成であることを特徴とする請求項1記載の口紅等の棒状塗り物品の繰出し容器。
【請求項３】
移動手段は、外側円筒の内周面に対して内側円筒の外周面を摺動可能に形成した構成であることを特徴とする請求項1記載の口紅等の棒状塗り物品の繰出し容器。
【請求項４】
受部の高さが３ｍｍであることを特徴とする請求項１、２または３記載の口紅等の棒状塗り物品の繰出し容器。
【考案の詳細な説明】
【技術分野】
【０００１】
本考案は、口紅やリップクリームやのり等の棒状塗り物品の繰出し容器に関するものである。
【背景技術】
【０００２】
日常的に女性の人たち等が化粧をする場合には好みの色の口紅を選択して唇に塗っている。口紅を唇に塗る場合は、口紅の繰出し容器を指で摘まみ、繰出し容器の鞘(円筒)や外底部分を回し容器内の口紅を鞘から突出させて唇に押し当てて塗っている。この口紅が繰出し容器内に十分に残っている場合には何等問題ないのであるが、残り少なくなってくると従来の口紅の繰出し容器では、上記した鞘の先端部の中に残り少なくなった口紅が入った状態となる。これは、口紅の後端部を繰出し容器内で支持している受皿部が上記した鞘の先端部の中に位置する位までしか繰出すことができない繰出し機構になっているため、おのずと残り少なくなった口紅も鞘の先端部の中に位置してしまうことになる。そのため、この残りの口紅を使用する場合には補助的に筆を使って取り出して使用しているのが現状である。
【考案の開示】
【考案が解決しようとする課題】
【０００３】
本考案は上記のような点に鑑みて開発したものであり、繰出し容器に収納されている口紅等の棒状塗り物品を筆等の補助具を使うことなくほぼ最後まで使い切ることができるようにした口紅等の棒状塗り物品の繰出し容器を提供することをその課題としている。
【課題を解決するための手段】
【０００４】
上記した課題を解決するために、本考案の口紅等の棒状塗り物品の繰出し容器は、中央にネジ穴部を備えた受部と、この受部に設ける棒状塗り物品と、受部のネジ穴部に底面側からネジ込むネジ棒を把持部の中央に備えた回転支持部と、棒状塗り物品及び受部を収納して保持する内側円筒と、内側円筒を収納して保持する外側円筒と、外側円筒に対して内側円筒を長手方向に移動可能とする移動手段とを少なくとも備えたことを特徴とする構造にしてある。
【０００５】
また、本考案の口紅等の棒状塗り物品の繰出し容器は、請求項１に記載の口紅等の棒状塗り物品の繰出し容器において、移動手段は、内側円筒の外周面に形成した雄ネジと、外側円筒の内周面に形成した雌ネジとのネジ合わせから成る構造にしてある。
【０００６】
また、本考案の口紅等の棒状塗り物品の繰出し容器は、請求項１に記載の口紅等の棒状塗り物品の繰出し容器において、移動手段は、外側円筒の内周面に対して内側円筒の外周面を摺動可能にした構造にしてある。
【０００７】
また、本考案の口紅等の棒状塗り物品の繰出し容器は、請求項１、２または３に記載の口紅等の棒状塗り物品の繰出し容器において、受部の高さが３ｍｍである。
【考案の効果】
【０００８】
上記の構成からなる本考案の口紅等の棒状塗り物品の繰出し容器では、通常は回転支持部を回すことによって、ネジ棒とネジ合わされた受部の上昇に伴い、内側円筒に収納されている棒状塗り物品を内側円筒の先端から外に突出させることができ、この突出した棒状塗り物品の先端部を所望の箇所に塗ることができる。さらに、使用に伴って棒状塗り物品が減り受部に少し残る程度になった場合、受部の上昇限界に伴って内側円筒の先端から僅かしか残りの棒状塗り物品が突出しない状態になるが、この時には一方の手の指で回転支持部と外側円筒を摘んで回転しないようにし、内側円筒を回転支持部の把持部方向に移動手段を介して移動させることによって、残りの棒状塗り物品を内側円筒の先端から外にさらに突出させることができる。そのため、従来のように筆等の補助具を使用することなく棒状塗り物品をあまり残すことなく使用してしまうことができ、便利で経済的である。
【０００９】
また、移動手段として内側円筒の外周面に形成した雄ネジと、外側円筒の内周面に形成した雌ネジとのネジ合わせから成る構成の場合は、上記したように一方の手の指で回転支持部と外側円筒を摘んで回転しないようにして、内側円筒を回すことにより簡単に内側円筒を回転支持部の把持部方向に移動させることができ、筆等の補助具を使用することなく誰でも簡単に残り少なくなった棒状塗り物品をあまり残すことなく使用してしまうことができる。
【００１０】
また、移動手段として外側円筒の内周面に対して内側円筒の外周面を摺動可能にした構成の場合は、上記したように一方の手の指で回転支持部と外側円筒を摘んで回転しないようにして、内側円筒を回転支持部の把持部方向に外側円筒の内周面を滑らすようにして素早く簡単に長手方向に移動させることができ、筆等の補助具を使用することなく誰でも簡単に残り少なくなった棒状塗り物品をあまり残すことなく使用してしまうことができる。
【００１１】
また、受部の高さが３ｍｍであれば、棒状塗り物品の下部を僅かに受部に挿入しているだけであるため、上記のように少なくなった棒状塗り物品を殆ど最後まで使い切ることができる。
【考案を実施するための最良の形態】
【００１２】
以下、添付の図面と共に、本考案の最良の実施形態について説明する。
図１は本考案の最良の実施形態である口紅等の棒状塗り物品の繰出し容器を示す全体図、図２は口紅等の棒状塗り物品の繰出し容器の説明図、図３は口紅等の棒状塗り物品の繰出し容器の要部構造を示す説明図、図４は口紅等の棒状塗り物品の繰出し容器の要部構造の作動状態を示す説明図である。
【００１３】
図１〜図４に示すように、図示の口紅等の棒状塗り物品の繰出し容器１（以下、繰出し容器１）は、受部２、口紅等の棒状塗り物品３、回転支持部４、内側円筒５、外側円筒６、エンド蓋７、キャップ８、本体ケース１８、及び移動手段（１４，１５）によって構成されている。
【００１４】
受部２は、棒状塗り物品３の下部を保持する凹部９と、この凹部９の底面から突出するように形成された円柱状の軸部１０と、軸部１０の中心部に形成したネジ穴部１１とからなる。また、上記の凹部９は内側円筒５の内径とほぼ同じ外径の円形有低筒状であり、内側円筒５の内周面に塗った潤滑液により内側円筒５内を摺動する。
【００１５】
棒状塗り物品３は、先細り形成した口紅であり、上記した受部２の凹部９内に下部を挿入して上記受部２に固定されている。なお、棒状塗り物品は、口紅に限らずリップクリームやのり等であってもよい。
【００１６】
回転支持部４は、上記の軸部１０のネジ穴部１１にネジ込むネジ棒１２と、このネジ棒１２の下端を中央に固定した円形状または多角形状の把持部１３とからなる。
【００１７】
内側円筒５は、棒状塗り物品３を備えた受部２を収納し、棒状塗り物品３と受部２とを回転可能に外嵌保持する所定長さのものであり、下部寄りの外周面に移動手段を構成する雄ネジ１４を有する。
【００１８】
外側円筒６は、上記の内側円筒５の雄ネジ１４とねじ合わされる雌ネジ１５を内周面に形成した所定長さの円筒であり、内側円筒５とネジ合わされて下端１６を回転支持部４の把持部１３に隣接するように組み合わされる。
【００１９】
エンド蓋７は、円形で中央に内側円筒５の外径より僅かに大きい径の穴を有し、外周に環状凸部を有したものであり、外側円筒６の先端部にはめ込んで固着し、雄ネジ１４の端が当たって内側円筒５を外側円筒６から抜けないようにする。
【００２０】
上記の棒状塗り物品３を設けた受部２は棒状塗り物品３と共に内側円筒５に収納され、受部２の軸部１０のネジ穴部１１に内側円筒５の下端１６側から回転支持部４のネジ棒１２をねじ込んである。回転支持部４の把持部１３を回すことにより、ネジ棒１２とねじ合わされている受部２は棒状塗り物品３と共に内側円筒５内を移動し、棒状塗り物品３の先端部３ａを内側円筒５の先端５ａから突出させたり、把持部１３を逆回転させて棒状塗り物品３の先端部３ａを内側円筒５内に収納したりすることができる。
【００２１】
さらに、上記の内側円筒５の外側に形成した雄ネジ１４は、外側円筒６の内周面に形成した雌ネジ１５とねじ合わされている。内側円筒５は、通常、外側円筒６の先端６ａから所定長さだけ外に突出するように設定されていて、棒状塗り物品３が折れないように囲繞して保護している。外側円筒６の先端６ａにはエンド蓋７が固着されている。
【００２２】
回転支持部４の把持部１３と外側円筒６は、有低で上部開口の本体ケース１８に収納されている。また、外側円筒６から突出している内側円筒５は、本体ケース１８の開口端部に着脱自在に嵌め込まれるキャップ８によって覆われている。
【００２３】
上記のような構成からなる繰出し容器１にあっては、通常は上記したように本体ケース１８とキャップ８の中に、棒状塗り物品３、回転支持部４、外側円筒６、内側円筒５、外側円筒６等の収納品が組み合わされて収納されていている(図1、図２)。使用する場合は、本体ケース１８とキャップ８を外して上記の収納品を取り出す。そして外側円筒６を一方の手の指で把持すると共に、回転支持部４の把持部１３を他の手の指で摘まんで回すことにより、ネジ棒１２と軸部１０を介して凹部９が上昇し、棒状塗り物品３を内側円筒５の先端５ａから所望な長さだけ突出させることができる。そして内側円筒５の先端５ａから突出した棒状塗り物品３の先端部３ａを唇に押し当てて塗ればよい。使用後は、把持部１３を逆方向に回してネジ棒１２、軸部１０、凹部９を介して棒状塗り物品３を内側円筒５内に収納し、元のように本体ケース１８とキャップ８の中に仕舞い込めばよい。
【００２４】
棒状塗り物品３は、上記したようにして使用を繰り返せば減り、最後には受部２の凹部９内に少し残る程度になる（このとき棒状塗り物品３は凹部９から少し突出した状態である）。このようになった場合、ネジ棒１２や軸部１０のネジ穴部１１の所定長さにより受部２も上昇限界になり、内側円筒５の上端から僅かしか残りの棒状塗り物品３が突出しない状態になる(図３)。なお、ネジ棒１２とネジ穴部１１を形成した軸部１０の長さを長くして、凹部９が内側円筒５の先端５ａから外に出るようにすればよいのであるが、このようにした場合は外側円筒６の長さを本考案のものよりさらに長くしなければならず、その結果、繰出し容器１全体が長くなってしまうといった問題が生じる。この点を解消するためにも本考案の構成がよい。
【００２５】
上記のように棒状塗り物品３の使用限界に近づいて来た際には、一方の手の指で把持部１３と外側円筒６を摘んで回転しないようにして、内側円筒５を他方の手の指で摘んで回す。このことにより内側円筒５の雄ネジ１４と外側円筒６の雌ネジ１５とのネジ込みによって内側円筒は外側円筒６内に少し移動させることができ、少なくなった棒状塗り物品３を内側円筒５の先端５ａから外にさらに突出させることができ(図４)、筆を使用することなく残り少なくなった棒状塗り物品３をさらに使用することができる。
【００２６】
なお、受部２の凹部９の高さ（深さ）を３ｍｍ位にすれば、棒状塗り物品３も保持でき尚且つ上記のように少なくなった棒状塗り物品３を殆ど最後まで使用することができる。
【００２７】
上記した繰出し容器１では、移動手段として、内側円筒５の雄ネジ１４と外側円筒６の雌ネジ１５とのネジ合わせによる構造としてあるが、図５に示すように、雄ネジや雌ネジを形成することなく、外側円筒６の内周面に対し内側円筒５の外周面を滑らすことができるように外側円筒６と内側円筒５とを嵌合させた構造であってもよい。この場合は、棒状塗り物品３の使用限界に近づいて来た際に、内側円筒５を指で摘まんで少し力を入れて外側円筒６内に押し込むことにより、内側円筒５を外側円筒６内に滑らせて移動させることができ、少なくなった棒状塗り物品３を内側円筒５の先端５ａから外にさらに突出させることができ、上記したのと同様に筆を使用することなく残り少なくなった棒状塗り物品３をさらに使用することができる。なお、この構造の移動手段を備えた繰出し容器１の他の構成は先に説明した繰出し容器と同様であり同一符号を付して説明を省略する。
【００２８】
勿論、移動手段は、内側円筒５を外側円筒６内に移動させることができれば如何なる構造に設計変更するも自由である。また、図示の繰出し容器１の場合は、本体ケース１８の中に回転支持部４や外側円筒６等を収納して、本体ケース１８をキャップ８で蓋するようにしてあるが、本考案のものは本体ケース１８を無くして外側円筒６の先端部の外周面に着脱可能なキャップを直接嵌め合わせるようにしたものであってもよい。
【図面の簡単な説明】
【００２９】
【図１】本考案の口紅等の棒状塗り物品の繰出し容器の全体図である。
【図２】本考案の口紅等の棒状塗り物品の繰出し容器の説明図である。
【図３】本考案の口紅等の棒状塗り物品の繰出し容器の要部構造を示す説明図である。
【図４】本考案の口紅等の棒状塗り物品の繰出し容器の要部構造の作動状態を示す説明図である。
【図５】本考案の口紅等の棒状塗り物品の繰出し容器の他の移動手段の構造を示す説明図である。
【符号の説明】
【００３０】
１    繰出し容器
２    受部
３    棒状塗り物品
４    回転支持部
５    内側円筒
６    外側円筒
１１    ネジ穴部
１２    ネジ棒
１３    把持部
１４    雄ネジ
１５    雌ネジ
【図１】
0003136607.tif 000003
【図２】
0003136607.tif 000004
【図３】
0003136607.tif 000005
【図４】
0003136607.tif 000006
【図５】
0003136607.tif 000007